(57)【要約】【課題】スペースをとらず加湿の性能を維持することができることを目的とする。【解決手段】加熱調理装置１とシンク２と食洗器３とを備えたシステムキッチン４において、システムキッチン４の収納棚５に加湿フィルターと加温装置と送風装置とドレン装置を内部に有した本体とを設置したという構成にしたことにより、システムキッチン４の収納棚５に本体を固定するので、スペースをとらず加湿の性能を維持することができる加温加湿装置を得られる。【選択図】図１
2015061992.tif 000002
【特許請求の範囲】
【請求項１】
加熱調理装置とシンクと食洗器とを備えたシステムキッチンにおいて、前記システムキッチンの収納棚に加湿フィルターと加温装置と送風装置とドレン装置を内部に有した本体とを設置したことを特徴とする加温加湿装置。
【請求項２】
本体を食洗器と前記本体の底面との間に設けたことを特徴とする請求項１に記載の加温加湿装置。
【請求項３】
収納棚の収納引出しに本体を設置したことを特徴とする請求項１に記載の加温加湿装置。
【請求項４】
収納引出しのフロントパネルに開口を設け、前記開口に扉を設けたことを特徴とする請求項３に記載の加温加湿装置。
【請求項５】
本体の背面に、水周りの配管の接続部と電源接続部を設けたことを特徴とする請求項１〜３のいずれかに記載の加温加湿装置。
【請求項６】
扉に吸込口と吹出口とを設け、前記吸込口に除塵フィルターを設け、前記吹出口に斜め上方に向けたスリットを設けたことを特徴とする請求項４に記載の加温加湿装置。
【発明の詳細な説明】
【技術分野】
【０００１】
本発明は、加温加湿装置を設置しても居室スペースを占有せず、使用する都度用意する必要の無い加温加湿装置に関するものである。
【背景技術】
【０００２】
従来より、冬場における居室環境の温度による快適性を向上させる手段として、例えば居室に置いて使用する石油ストーブやファンヒーター、居室の壁に据付設置して使用するパッケージエアコン、居室の天井裏空間に隠蔽設置し、送風ダクトを介して居室に温風を供給する空調システム、温水循環型熱源機と接続して居室を自然対流で暖めるセントラルヒーティングシステムといった様々な暖房機器が用いられている。
【０００３】
上記の暖房機器が導入された居室において、さらに快適性を向上させる手段として、居室環境の湿度による快適性を整えることが重要となる。生活環境において、一般的に快適とされる湿度は相対湿度４０〜６０％とされているが、前に上げた暖房システムは居室の温度のみを上げるもので、温度による快適性は確保できても、相対湿度が低くなるため湿度による快適性は確保できない。そこで、湿度による快適性を確保したいユーザーは、居室内に加湿装置を準備し、暖房を行う際に加湿装置で加湿も行うことになる。加湿装置としては、例えば、水を加熱して蒸気を発生させる方式、加湿用フィルターに水を浸透させファンで送風して気化させる方式、超音波による振動で水滴を放出する方式、ノズル等を用いて水を直接噴霧する方式等、様々な方法が提案され、どれも一般的に普及している。
上記の加湿装置に共通する特徴として、ユーザーが加湿装置を加湿したい居室に持ち込み、着脱可能に設けられている貯水タンクに水道の水等を給水し加湿装置に取り付けた後、加湿装置を運転することで貯水タンク内の水が徐々に消費されていき、貯水タンク内の水がなくなったときに水を補充することとなっている。
この方式の場合、その都度加湿装置を用意するのは手間であり、また、居室に置いて使用することとなるため居室のスペースを占有してしまう課題がある。
【０００４】
上記の課題に対応するため、加温加湿装置として、箱型の本体を床下空間に設置して、加湿が必要な場合は、別途、水が入る容器を本体内部に取り付けて加湿手段をその容器の内部に取り付け、容器には給水弁で水を供給するものが提案されている（例えば、特許文献１参照）。
【０００５】
以下、その加温加湿装置について図５を参照しながら説明する。
【０００６】
内部にクロスフローファン１０２とファンモータ１０３と熱交換器１０４が一体となった箱型の本体１０１において、特に熱交換器１０４の銅管内部を送風路１０５とし、銅管表面を温水流路１０６とし、さらに空気吸い込み口１０７を温水流路１０６の外側に配置させたことを特徴とした本体１０１を床下空間に設置して、熱交換器１０４で熱交換された空気は空気吹き出し口１０８から出る。空気吹き出し口１０８と床下空間に敷設されたダクトを接続して居室の床吹き出し口から居室に送風し、居室からの空気は居室の床吸い込み口からダクトを介さずに本体に吸い込まれ、加湿が必要な場合は、別途、水が入る容器を空気吹き出し口１０８近傍に取り付けて加湿手段をその容器の内部に取り付け、容器には給水弁で水を供給しているものがある。
【先行技術文献】
【特許文献】
【０００７】
【特許文献１】特開２００６−１０２９５号公報
【発明の概要】
【発明が解決しようとする課題】
【０００８】
このような従来の加温加湿装置においては、ウィルスの繁殖を抑えたり肌の潤いを保つためリビングを加湿する手段が要望されているがスペースがなかったり加湿のための給水が必要となっていた、という課題を有していた。
【０００９】
そこで本発明は、上記従来の課題を解決するものであり、スペースをとらず加湿の性能を維持することができる加温加湿装置を提供することを目的とする。
【課題を解決するための手段】
【００１０】
そして、この目的を達成するために、本発明は、加熱調理装置とシンクと食洗器とを備えたシステムキッチンにおいて、前記システムキッチンの収納棚に加湿フィルターと加温装置と送風装置とドレン装置を内部に有した本体とを設置したとしたものであり、これにより所期の目的を達成するものである。
【発明の効果】
【００１１】
本発明によれば、加熱調理装置とシンクと食洗器とを備えたシステムキッチンにおいて、前記システムキッチンの収納棚に加湿フィルターと加温装置と送風装置とドレン装置を内部に有した本体とを設置した、という構成にしたことにより、システムキッチンの収納棚に本体を固定することとなるので、スペースをとらず加湿の性能を維持することができる、という効果を得ることができる。
【図面の簡単な説明】
【００１２】
【図１】本発明の実施の形態１の加温加湿装置の全体の構成を示す斜視図
【図２】同加温加湿装置の収納棚に本体に設置する構成を示す斜視図
【図３】同加温加湿装置のフロントパネルに扉を設けた構成を示す斜視図
【図４】同加温加湿装置の背面を示す斜視図
【図５】従来の加温加湿装置の内部を示す構成図
【発明を実施するための形態】
【００１３】
本発明の請求項１記載の加温加湿装置は、加熱調理装置とシンクと食洗器とを備えたシステムキッチンにおいて、前記システムキッチンの収納棚に加湿フィルターと加温装置と送風装置とドレン装置を内部に有した本体とを設置した、という構成を有する。これにより、システムキッチンの収納棚に本体を固定することとなるので、スペースをとらず加湿の性能を維持することができる、という効果を奏する。
【００１４】
また、本体を食洗器と前記本体の底面との間に設けた、という構成にしてもよい。これにより、食洗器と本体の底面との間に本体を設置することとなるので、温水あるいは水道水を本体に供給でき排水を容易にすることができる、という効果を奏する。
【００１５】
また、収納棚の収納引出しに本体を設置した、という構成にしてもよい。これにより、本体を収納棚の収納引出しを引き出してその中に設置することとなるので、本体のメンテを容易にすることができる、という効果を奏する。
【００１６】
また、収納引出しのフロントパネルに開口を設け、前記開口に扉を設けた、という構成にしてもよい。これにより、収納引出しのフロントパネルの開口の扉を手前に開閉することとなるので、手前にスペースがなくても本体のメンテを容易にすることができる、という効果を奏する。
【００１７】
また、本体の背面に、水周りの配管の接続部と電源接続部を設けた、という構成にしてもよい。これにより、本体の背面と水周りの配管の接続部と電源接続部と接続することとなるので、本体と配管および電源との接続による美観性やスペースを有効活用するこができる、という効果を奏する。
【００１８】
また、扉に吸込口と吹出口とを設け、前記吸込口に除塵フィルターを設け、前記吹出口に斜め上方に向けたスリットを設けた、という構成にしてもよい。これにより、油や埃等が吸込口から吸い込まれ、加温装置や加湿フィルターとに付着して目詰まりをさせず、加湿された空気が上方へ吹出すこととなるので、加湿性能を低下させず、かつ、床を結露させずにシステムキッチンの周りの衛生を維持することができる、という効果を奏する。
【００１９】
以下、本発明の実施の形態について図面を参照しながら説明する。
【００２０】
（実施の形態１）
図１〜４に示すように、コンロ（ガスやＩＨがあるが、この実施の形態１では一般家庭に多いガスの３口で説明する）等の加熱調理装置１とシンク２と食洗器３（この実施の形態１では浅型の引き出しタイプ）とを備えたシステムキッチン４において、システムキッチン４の収納棚５に加湿フィルター６（気化式用）と加温装置７（温水式）と送風装置８（例えば、本体１０内部の抵抗が少ない遠心送風機）とドレン装置９を内部に有した本体１０とを設置した、という構成を有する。
【００２１】
これにより、システムキッチン４の収納棚５の空間に上方から本体１０を挿入し、上方から本体１０を介して収納棚５にねじを打ち込み固定することとなるので、本体１０を別途スペーススペースをとらず加湿の性能（相対湿度５０〜６０％の範囲、理由は、相対湿度５０％未満だと菌やウイルスが繁殖しやすく、また、相対湿度６０％超えるとカビ等が繁殖しやすいので、相対湿度５０〜６０％の範囲が適切と考える）を維持することができる、という効果を奏する。
【００２２】
また、本体１０を給排水設備が備わっている食洗器３と本体１０の底面１１との間に設けている。
【００２３】
これにより、システムキッチンが本来備え付けている給排水設備を利用して分岐させて本体１０に接続させることができるので、新規に給排水設備を設けずコストをかけず温水１２あるいは水道水１３を本体１０に供給でき排水１４を容易にすることができる、という効果を奏する。
【００２４】
また、水周りのライン（ここでは、本体１０と食洗器３とを同じユニットに備える）に集約させるので、食品を水周りから離し、湿気により影響を防ぐことができる。
【００２５】
また、収納棚５の収納引出し１５に、取付用脚を左右２本づつ設けた本体１０をねじ（図示せず）で本体１０を介して収納引出し１５に固定設置している。
【００２６】
この構成により、本体１０を収納棚５の収納引出し１５を引き出してその中に固定設置することとなるので、容易に本体１０を引き出すことができ本体１０のメンテを容易にすることができる、という効果を奏する。
【００２７】
また、収納引出し１５のフロントパネル１６に開口１７を設け、その開口１７には送風装置８へ空気を吸い込む吸込口２２と送風装置８から送り出された空気を吹き出す吹出口２３を有し、その各々にスリット（図示せず）を設け、吹出口２３側のスリットはシステムキッチン４から調理者（図示せず）側に向かって斜め上方（望ましくは４５度）に設け、吸込口２２側のスリットは底面１１に対して平行に設けている。
【００２８】
また、開口１７の下方には吸込口２２を設け、上方には吹出口２３を設けた構成としている。
【００２９】
理由は、吹き出される空気が加湿されているため、上記の構成にすることにより、床面（図示せず）の結露を防止することができるとともに、吹出口２３から吹き出される加湿された空気がショートカットされて吸込口２２に吸い込まれることを防止することができる。
【００３０】
また、全体に上下各々スリットを備えた扉１８を設けている。
【００３１】
そして、下側のスリットには除塵用フィルター（図示せず）を備えているが、その理由は、油や埃等が下側の吸込口２２のスリットから吸い込まれ、加温装置７や加湿フィルター６に付着し目詰まりして加湿の性能が低下するので、原因となる油や埃を除去する必要があるからである。
【００３２】
これにより、収納引出し１５のフロントパネル１６の開口１７の扉１８を手前に開閉することとなるので、手前にスペースがなくても本体１０のメンテを容易にすることができる、という効果を奏する。
【００３３】
また、本体１０の背面１９に、水周りの配管の接続部２０と電源接続部２１とを、間をあけて本体１０の両側面側にそれぞれ設けた構成である。
【００３４】
これにより、本体１０の背面１９と水周りの配管の接続部２０と電源接続部２１と接続することとなるので、本体１０と配管（温水１２と水道水１３と排水１４を流す管）および電源（電源接続部２１が差し込まれる）との接続による美観性やスペースを有効活用するこができる、という効果を奏する。
【００３５】
また、水周りの配管の接続部２０と電源接続部２１とを、間をあけて本体１０の両側面側にそれぞれ設けているので、例えば配管の接続部２０から水がでたとしても電源接続部２１まで水が達しないで漏電を防ぐことができることとなる。
【産業上の利用可能性】
【００３６】
本発明にかかる加温加湿装置は、居室のスペースを占有せず、使用の都度、用意する必要の無い加温加湿装置を可能とするものであるので、居室据付用の加湿空気清浄機等として有用である。
【符号の説明】
【００３７】
１    加熱調理装置
２    シンク
３    食洗器
４    システムキッチン
５    収納棚
６    加湿フィルター
７    加温装置
８    送風装置
９    ドレン装置
１０  本体
１１  底面
１２  温水
１３  水道水
１４  排水
１５  収納引出し
１６  フロントパネル
１７  開口
１８  扉
１９  背面
２０  配管の接続部
２１  電源接続部
２２  吸込口
２３  吹出口
【図１】
2015061992.tif 000003
【図２】
2015061992.tif 000004
【図３】
2015061992.tif 000005
【図４】
2015061992.tif 000006
【図５】
2015061992.tif 000007